(57)【要約】      （修正有）【課題】年ごとのサイクルを形成する持続時間が等しくない一連の周期的事象を同じように表示することを可能にするデバイス。【解決手段】本発明は、年ごとのサイクルを形成する一連の周期的事象を表示する表示デバイス１に関し、周期的事象インジケーターメンバー２と、及び周期的事象インジケーターメンバーによって周期的事象が表示される持続時間を管理するための管理機構４とを有する。この管理機構は、周期的事象インジケーターメンバーによる周期的事象のインジケーションからその後の周期的事象のインジケーションへの変更を制御するように構成している、周期的事象が表示される持続時間を管理するための管理カム８と、管理カムを駆動するための周期的駆動手段１０と、及び管理カムと前記周期的事象インジケーターメンバーの間に配置されており事象が変わる際に周期的事象インジケーターメンバーを駆動するように構成しているメンバー６とを有する。【選択図】図１
2020101536.tif 000002
【特許請求の範囲】
【請求項１】
年ごとのサイクルを形成する一連の周期的事象を表示する表示デバイスであって、
周期的事象インジケーターメンバー（２）と、及び
前記周期的事象インジケーターメンバー（２）によって周期的事象が表示される持続時間を管理するための管理機構（４）と
を有し、
この管理機構（４）は、
前記周期的事象インジケーターメンバー（２）による周期的事象のインジケーションからその後の周期的事象のインジケーションへの変更を制御するように構成している、周期的事象が表示される持続時間を管理するための管理カム（８）と、
前記管理カム（８）を駆動するための周期的駆動手段（１０）と、及び
前記管理カム（８）と前記周期的事象インジケーターメンバー（２）の間に配置されており事象が変わる際に前記周期的事象インジケーターメンバー（２）を駆動するように構成しているメンバー（６）と
を有する
ことを特徴とする表示デバイス。
【請求項２】
前記管理カム（８）と前記周期的事象インジケーターメンバー（２）の間に配置される前記駆動メンバー（６）は、周期的事象が表示される持続時間を管理するための前記管理カム（８）の輪郭に支えられるレバー（２４）を有する
ことを特徴とする請求項１に記載の表示デバイス。
【請求項３】
前記駆動メンバー（６）は、前記管理カム（８）と前記レバー（２４）の間に配置されるハンマー（２６）を有し、
このハンマー（２６）は、フィーラースピンドル（２８）を有し、このフィーラースピンドル（２８）は、周期的事象が表示される持続時間を管理するための前記管理カム（８）の輪郭に支えられるように前記レバー（２４）によって保持される
ことを特徴とする請求項２に記載の表示デバイス。
【請求項４】
前記レバー（２４）は、前記管理カム（８）の輪郭に対して弾性的に応力を与えられている
ことを特徴とする請求項２又は３に記載の表示デバイス。
【請求項５】
前記管理カム（８）は、日付機構（１２）と月機構によって駆動される
ことを特徴とする請求項２〜４のいずれか一項に記載の表示デバイス。
【請求項６】
前記日付機構（１２）は、１日当たり１ステップのレートで日付インジケーター車（１８）を駆動する日付駆動車（１４）を有し、
この日付インジケーター車（１８）は、３１日で完全な１回転を行い、
前記月機構は、前記日付インジケーター車（１８）と一体化された月駆動フィンガー（２０）を有し、
この月駆動フィンガー（２０）は、年の１２月の各月の終わりにおいて１２分の１回転前記管理カム（８）を進ませる
ことを特徴とする請求項５に記載の表示デバイス。
【請求項７】
前記月駆動フィンガー（２０）は、前記管理カム（８）が固定される月インジケーター車（２２）と噛み合う
ことを特徴とする請求項６に記載の表示デバイス。
【請求項８】
前記レバー（２４）上で遊び運動をするようにマウントされ太陽車（３４）と噛み合う惑星車（３２）を有する
ことを特徴とする請求項６又は７に記載の表示デバイス。
【請求項９】
前記日付インジケーター車（１８）、前記月駆動フィンガー（２０）、前記太陽車（３４）及び前記レバー（２４）は、同心である
ことを特徴とする請求項８に記載の表示デバイス。
【請求項１０】
前記管理カム（８）は、周期的事象の変更をしなければならない月の初めにおける前の周期的事象の変更を行った月の日とは異なる月の日において、前記レバー（２４）の位置の調整を制御し、
これによって、前記惑星車（３２）は、前記レバー（２４）の位置の前記調整の間に固定され続ける前記太陽車（３４）上を転がる
ことを特徴とする請求項９に記載の表示デバイス。
【請求項１１】
周期的事象の変更が行われる月の日に、前記月駆動フィンガー（２０）は、惑星車（３２）と噛み合い、
前記惑星車（３２）はそれ自体が前記太陽車（３４）を回転させる
ことを特徴とする請求項１０に記載の表示デバイス。
【請求項１２】
前記太陽車（３４）は、前記周期的事象インジケーターメンバー（２）を駆動する
ことを特徴とする請求項１１に記載の表示デバイス。
【請求項１３】
前記周期的事象インジケーターメンバー（２）は、ジャンパー（３８）によってインデキシングされる周期的事象インジケーター車（３６）であり、この周期的事象インジケーター車（３６）と前記太陽車（３４）が噛み合う
ことを特徴とする請求項１２に記載の表示デバイス。
【請求項１４】
黄道十二宮の期間を表示するように構成しており、
前記管理カム（８）の輪郭は、
インジケーターメンバー（２）が７月、８月、９月、１０月及び１１月の２２日か２３日にかけての夜に黄道十二宮の期間を変更することを可能にする第１の半径（Ｒ１）の部分と、
前記インジケーターメンバー（２）が１２月と６月の２１日から２２日にかけての夜に黄道十二宮の期間を変更することを可能にする、第１の半径（Ｒ１）とは異なる第２の半径（Ｒ２）の部分と、
前記インジケーターメンバー（２）が１月、３月、４月及び５月の２０日から２１日にかけての夜に黄道十二宮の期間を変更することを可能にする、第１及び第２の半径（Ｒ１）及び（Ｒ２）とは異なる第３の半径（Ｒ３）の部分と、及び
前記インジケーターメンバー（２）が２月の１９日から２０日にかけての夜に黄道十二宮の期間を変更することを可能にする、第１、第２及び第３半径（Ｒ１）、（Ｒ２）及び（Ｒ３）とは異なる第４の半径（Ｒ４）の部分と
を有する
ことを特徴とする請求項１〜１３のいずれか一項に記載の表示デバイス。
【請求項１５】
前記管理カム（８）の輪郭は、
７月、８月、９月、１０月及び１１月に対して同じ半径（Ｒ１）の第１の部分と、
１２月に対する半径（Ｒ２）の第２の部分と、
１月に対する半径（Ｒ３）の第３の部分と、
２月に対する半径（Ｒ４）の第４の部分と、
３月、４月及び５月に対して同じ半径（Ｒ３）の第５の部分と、及び
６月に対応する半径（Ｒ２）の第６の部分と
を有する
ことを特徴とする請求項１４に記載の表示デバイス。
【請求項１６】
請求項１〜１５のいずれか一項に記載の表示デバイスを有する
ことを特徴とする計時器。
【発明の詳細な説明】
【技術分野】
【０００１】
本発明は、年ごとのサイクルを形成する一連の周期的事象を表示するデバイスに関する。本発明は、特に、黄道十二宮の期間のシーケンスを表示するデバイスに関する。本発明は、さらに、このような表示デバイスを有する計時器に関する。
【背景技術】
【０００２】
年ごとのサイクルはいくつかの期間に分割することができ、その各期間は、同じ数の日又は異なる数の日によって構成している。
【０００３】
例えば、１２か月の年ごとのサイクルを１２の期間に分割することができ、その各期間は、黄道十二宮の１２の宮のうちの１つに対応する。これらの黄道十二宮の期間には、その持続時間が同じではないという特徴がある。より詳細には、この持続時間は、２９〜３２日間の範囲にわたる。また、黄道十二宮の１つの期間から黄道十二宮の次の期間への移行は、関心事の黄道十二宮の宮の期間に応じて、その月の２０〜２３日の間に行われる。例えば、人馬宮に対応する黄道十二宮の期間は、１１月２３日から１２月２１日まで２９日続き、巨蟹宮に対応する黄道十二宮の期間は、６月２２日から７月２２日まで３１日続く。
【０００４】
また、年ごとのサイクルを年の１２の月に対応する１２の期間に分割することができる。これらの月の持続時間は、２８〜３１日の範囲にわたり、等しくない。
【０００５】
これらの期間を表示するデバイスは既に知られている。最も基本的な形態は、年ごとのサイクルの異なる期間が角区画によって表されるディスクを有しており、この角区画の角度は、関心事の期間における日数に応じて変わる。第１の形態は、表盤の下でディスクを回転させ、開口を通して現在の周期を見ることができる。別の形態は、現在の周期を指すインデックスに対向しているディスクを回転させる。別の形態は、現在の周期を指す針をディスクの上で回転させることを伴う。
【０００６】
年ごとのサイクルの異なる期間を示すディスクを駆動する機構やこのようなディスクの上を動く針を駆動する機構は、ジャンプタイプ又はドラッグタイプのものであり、その進行は安定しているが、特に、ある期間から次の期間へと移行するときに、現在の期間の表示の精度が不足ぎみとなってしまう。また、計時器の要素上で、異なる持続時間の時間インジケーションを表示し、一方で、時間が一定のリズムで経過する。このことによって、このような計時器が比較的否定的に評価されることになる。
【０００７】
Blancpainによる欧州特許出願ＥＰ３０２９５３１Ａ１によって、年ごとのサイクルを形成する期間を表示するデバイスが知られている。この表示デバイスのコア部は、２つの入力と１つの出力を有する差動機構によって形成されている。第１の入力は、基準期間に応じて回転を行うように構成している基準駆動車によって構成している。第２の入力は、カムと連係するように構成している活性化メンバーによって構成している。このカムには、活性化メンバーと差動機構の間の連係が、表示された期間と基準期間の間の差に応じて、期間を示すインジケーターメンバーを進ませたり後退させたりするように構成している輪郭がある。最後に、出力は、インジケーターメンバーを駆動するメンバーによって構成している。
【０００８】
これらの特徴のおかげで、このBlancpainによる表示デバイスは、必ずしもすべてが同じであるとは限らない期間の正規表現を可能にしている。また、表示デバイスを駆動するために差動機構を選択することによって、この表示デバイスを備える計時器の表盤の周部に沿った任意の箇所に期間インジケーターメンバーをポジショニングすることが可能になる。しかし、差動機構には多数の部品を必要とし、調整が繊細であることが広く知られている。この結果、このような表示デバイスは、価格が高く、多かれ少なかれ最高級の部品に留まっている。
【発明の概要】
【発明が解決しようとする課題】
【０００９】
本発明の目的は、特に、年ごとのサイクルを形成する持続時間が等しくない一連の周期的事象を同じように表示することを可能にするデバイスを得ることによって、前記課題を解決し、それを超えることを達成することである。
【課題を解決するための手段】
【００１０】
このために、本発明は、年ごとのサイクルを形成する一連の周期的事象を表示する表示デバイスに関し、
周期的事象インジケーターメンバーと、及び
前記周期的事象インジケーターメンバーによって周期的事象が表示される持続時間を管理するための管理機構と
を有し、
この管理機構は、
前記周期的事象インジケーターメンバーによる周期的事象のインジケーションからその後の周期的事象のインジケーションへの変更を制御するように構成している、周期的事象が表示される持続時間を管理するための管理カムと、
前記管理カムを駆動するための周期的駆動手段と、及び
前記管理カムと前記周期的事象インジケーターメンバーの間に配置されており事象が変わる際に前記周期的事象インジケーターメンバーを駆動するように構成しているメンバーと
を有する。
【００１１】
本発明の特定の実施形態において、
−  前記管理カムと前記周期的事象インジケーターメンバーの間に配置される前記駆動メンバーは、周期的事象が表示される持続時間を管理するための前記管理カムの輪郭に弾性的に応力を与えられているレバーを有する。
−  前記駆動メンバーは、前記管理カムと前記周期的事象インジケーターメンバーの間に配置されるハンマーを有し、
このハンマーは、フィーラースピンドルを有し、このフィーラースピンドルは、周期的事象が表示される持続時間を管理するための前記管理カムの輪郭に弾性的に支えられるように前記レバーによって保持される。
−  前記管理カムは、日付機構と月機構によって駆動される。
−  前記日付機構は、１日当たり１ステップのレートで日付インジケーター車を駆動する日付駆動車を有し、
この日付インジケーター車は、３１日で完全な１回転を行い、
前記月機構は、前記日付インジケーター車と一体化された月駆動フィンガーを有し、
この月駆動フィンガーは、年の１２月の各月の終わりにおいて１２分の１回転前記管理カムを進ませる。
−  前記月駆動フィンガーは、前記管理カムが固定される月インジケーター車と噛み合う。
−  惑星車が前記レバー上で遊び運動をするようにマウントされ、太陽車と噛み合う。
−  前記日付インジケーター車、前記月駆動フィンガー、前記太陽車及び前記レバーは、同心である。
−  前記管理カムは、周期的事象の変更をしなければならない月の初めにおける前の周期的事象の変更を行った月の日とは異なる月の日において、前記レバーの位置の調整を制御し、これによって、前記惑星車は、前記レバーの位置の前記調整の間に固定され続ける前記太陽車上を転がる。
−  周期的事象の変更が行われる月の日に、前記月駆動フィンガーは、惑星車と噛み合い、
前記惑星車はそれ自体が前記太陽車を回転させる。
−  前記太陽車は、前記周期的事象インジケーターメンバーを駆動する。
−  前記周期的事象インジケーターメンバーは、ジャンパーによってインデキシングされる周期的事象インジケーター車であり、この周期的事象インジケーター車と前記太陽車が噛み合う。
−  前記周期的事象インジケーターメンバーが黄道十二宮の期間を表示するように構成している場合に、前記管理カムの輪郭は、
インジケーターメンバーが７月、８月、９月、１０月及び１１月の２２日か２３日にかけての夜に黄道十二宮の期間を変更することを可能にする第１の半径の部分と、
前記インジケーターメンバーが１２月と６月の２１日から２２日にかけての夜に黄道十二宮の期間を変更することを可能にする、第１の半径とは異なる第２の半径の部分と、
前記インジケーターメンバーが１月、３月、４月及び５月の２０日から２１日にかけての夜に黄道十二宮の期間を変更することを可能にする、第１及び第２の半径及びとは異なる第３の半径の部分と、及び
前記インジケーターメンバーが２月の１９日から２０日にかけての夜に黄道十二宮の期間を変更することを可能にする、第１、第２及び第３半径、及びとは異なる第４の半径の部分と
を有する。
−  前記管理カムの輪郭は、
７月、８月、９月、１０月及び１１月に対して同じ第１の半径の第１の部分と、
１２月に対する第２の半径の第２の部分と、
１月に対する第３の半径の第３の部分と、
２月に対する第４の半径の第４の部分と、
３月、４月及び５月に対して同じ第３の半径の第５の部分と、及び
６月に対応する第２の半径の第６の部分と
を有する。
【００１２】
本発明は、さらに、前記タイプである、年ごとのサイクルを形成する一連の周期的事象を表示するデバイスを有する計時器に関する。
【００１３】
本発明は、これらの特徴のおかげで、構成が比較的単純であり、コンパクトであるような、年ごとのサイクルを形成する周期的事象を表示する機構を提供することができる。このように構成が相対的に単純なことによって、本発明に係る表示機構には、部品が少ない数しかなく、作る際のコスト効率が良く、動作の信頼性が高い。他方では、本表示機構は、コンパクトであるため、より多くの数の穴内に、これらの穴を絶えず改変することを必要とせずに、収容することができる。
【００１４】
年ごとのサイクルを形成する黄道十二宮の期間を表示するデバイスの１つの実施形態の例についての下記の詳細な説明を添付の図面を参照しながら読むことで、本発明の他の特徴及び利点を一層理解することができる。前記例は、説明のためのみに提供しており、本発明の範囲を制限するように意図していない。
【図面の簡単な説明】
【００１５】
【図１】本発明に係る表示デバイスの斜視図である。
【図２】図１における表示デバイスの分解斜視図である。
【図３】日付駆動車による日付インジケーター車の駆動を示している本発明に係る表示デバイスについての詳細な図である。
【図４】月駆動フィンガーによる月インジケーター車の駆動を示している本発明に係る表示デバイスについての詳細な図である。
【図５】同じ図の中において宝瓶宮の期間のレバー及び双魚宮の期間のレバーの位置を示している上から見た図である。
【図６】１月２１日〜２月１９日の宝瓶宮の期間に対応する２月１６日における本発明に係る表示デバイスの状況を示しているスケールが大きい上から見た図である。
【図７】２月２０日〜３月２０日の双魚宮の期間に対応する３月１６日における本発明に係る表示デバイスの状況を示しているスケールが大きい上から見た図である。
【図８】太陽車を駆動する惑星車を駆動する月駆動フィンガーを示している断面図である。
【発明を実施するための形態】
【００１６】
本発明は、全体として、年ごとのサイクルを形成し持続時間が等しくないような周期的事象を、同等な連続的な形態で、表示することを可能にするデバイスを提供することを伴う創造性のある考えに基づいている。このために、本発明は、日付及び月インジケーターデバイスによって駆動されるカムを有する表示デバイスを提供する。このカムは、毎月の終わりに必要なときに、レバーの前置ポジショニングをして、これによって、１つの周期的事象からその直後の周期的事象への移行の際に、表示メンバーが関連する周期的事象を表示するようにする。このように、これらの特徴のおかげで、本発明は、関心事の周期的事象が始まる月の日に応じて連続的に再ポジショニングされる年ごとのサイクルを形成する周期的事象を表示するデバイスを提供する。このように、時間において必ずしも規則的には互いに連続しない周期的事象を、このことを計時器の所有者に知覚させずに、表示することができる。
【００１７】
本発明に係る年ごとのサイクルを形成する一連の周期的事象を表示するデバイスは、全体として参照符号１によって示しており（図１及び２を参照）、周期的事象インジケーターメンバー２を有し、この上に、表示される周期的事象を示している。表示デバイス１は、さらに、周期的事象が表示される持続時間を管理する管理機構４を有する。特に、この管理機構４は、事象の変化の間に周期的事象インジケーターメンバー２を駆動するように構成しているメンバー６を有する。管理機構４は、さらに、周期的事象が表示される持続時間を管理するための管理カム８と、及びこの管理カム８を駆動するための駆動手段１０とを有する。
【００１８】
より詳細には、周期的事象が表示される持続時間を管理するための管理メンバー４は、時計用ムーブメント（図示せず）によって駆動される日付機構１２を有する。この日付機構１２には、１日当たり１回転し日付駆動フィンガー１６を有する日付駆動車１４がある。毎日、深夜の０時に、日付駆動車１４は、日付駆動フィンガー１６を介して、日付インジケーター車１８を１ステップ進ませる（図３を参照）。
【００１９】
日付インジケーター車１８には、日付インジケーター車１８と同心の円上に配置された月駆動フィンガー２０がある（図４を参照）。この月駆動フィンガー２０は、月の３１日にそれぞれ、月インジケーター車２２を１ステップ進ませ、この月インジケーター車２２に、周期的事象が表示される持続時間を管理するための管理カム８が固定される。なお、月インジケーター車２２及びその関連づけられた管理カム８は、毎月の３１日の終わりに３０°進むことによって、１年当たり完全に１回転する。
【００２０】
管理カム８が担持している情報は、日付インジケーター車１８と同心的にマウントされるレバー２４へと、直接、又は図面に例として示しているように管理カム８の輪郭を追従するフィーラースピンドル２８を備えるハンマー２６を介して、伝達される。このレバー２４は、戻しばね３０によってハンマー２６を弾性的に支えるように保持される。
【００２１】
ここで説明される表示デバイス１は、一連の黄道の１２の宮を表示するように構成している。それにもかかわらず、この例は説明のみのためのものであり、管理カム８の輪郭を適応させることによって、年ごとのサイクルを形成する特徴を有する別の一連の周期的事象を表示することができる。特に、中国式の宮図を表示することができる。
【００２２】
ここで言及しているいわゆる熱帯の黄道十二宮系においては、黄道十二宮の１２の期間は、場合に応じて、関心事の月の２０日、２１日、２２日又は２３日に始まる。また、黄道十二宮の２つの連続する期間が月の同じ日に始まらない場合、関心事の黄道十二宮の第１の期間の開始時とその直後の黄道十二宮の期間の開始時の間の差は１日を超えることはない。より詳細には、３月から５月まで、関連する黄道十二宮、すなわち、雄羊宮、雄牛宮、双子宮、の期間はすべて、月の２１日に始まる。続く黄道十二宮、すなわち、巨蟹宮、の期間は、６月２２日に始まる。７月から１１月まで、対応する黄道十二宮、すなわち、獅子宮、処女宮、天秤宮、天蝎宮、人馬宮、の期間はすべて、月の２３日に始まる。１２月に、磨羯宮の期間が２２日に始まり、１月に、宝瓶宮の期間が２１日に始まり、２月に、双魚宮の期間が２０日に始まる。
【００２３】
以下の各段落を読むと一層理解されるように、管理カム８の輪郭は、インジケーターメンバー２が関心事の黄道十二宮の期間の最初の日に黄道十二宮の期間を変更する。したがって、管理カム８の輪郭は、ハンマー２６及びレバー２４を介して、インジケーターメンバー２が、７月、８月、９月、１０月及び１１月の２２日から２３日にかけての夜の間に黄道十二宮の期間を変更することを可能にするような第１の半径Ｒ１の部分を有する。同様に、管理カム８の輪郭には、第１の半径Ｒ１とは異なる第２の半径Ｒ２の部分があり、この第２の半径Ｒ２は、インジケーターメンバー２が６月と１２月の２１日から２２日にかけての夜の間に黄道十二宮の期間を変更することを可能にする。同様に、管理カム８の輪郭には、第１及び第２の半径Ｒ１及びＲ２とは異なる第３の半径Ｒ３の部分があり、この第３の半径Ｒ３は、インジケーターメンバー２が１月、３月、４月及び５月の２０日から２１日にかけての夜の間に黄道十二宮の期間を変更することを可能にする。最後に、管理カム８の輪郭には、半径Ｒ１、Ｒ２及びＲ３とは異なる第４の半径Ｒ４の部分があり、この第４の半径Ｒ４は、インジケーターメンバー２が２月の１９日から２０日にかけての夜の間に黄道十二宮の期間を変更することを可能にする。したがって、管理カム８の輪郭には、７月、８月、９月、１０月及び１１月に対して同じ半径Ｒ１の第１の部分があり、そして、１２月に対する半径Ｒ２の第２の部分、そして、１月に対する半径Ｒ３の第３の部分、そして、２月に対する半径Ｒ４の第４の部分、そして、３月、４月及び５月に対して同じ半径Ｒ３の第５の部分、最後に、６月に対応する半径Ｒ２の第６の部分がある。
【００２４】
説明のために、１月２１日から２月１９日までの期間において、インジケーターメンバー２は、宝瓶宮の黄道十二宮の期間を表示する（図５及び６を参照）。本発明に係る表示デバイス１が２月１６日を示している図６に示している状況において、レバー２４は、インジケーターメンバー２が２月の１９日から２０日にかけての夜の間に宝瓶宮の黄道十二宮の期間から双魚宮の黄道十二宮の期間へと変わることを可能にするように前置ポジショニングされる。２月の終わりの際に、月駆動フィンガー２０は、月インジケーター車２２を１ステップ進ませ、この月インジケーター車２２は、周期的事象が表示される持続時間を管理するための管理カム８が固定される。ハンマー２６のフィーラースピンドル２８は、管理カム８の回転の影響の下で、管理カム８の輪郭の半径Ｒ４の第４の部分から管理カム８の輪郭の半径Ｒ３の第５の部分へと動く。この管理カム８の輪郭の曲率半径の変化は、ハンマー２６のフィーラースピンドル２８を介して、レバー２４に伝達される。このレバー２４は、戻しばね３０によってハンマー２６に弾性的に支えられるように保持される。
【００２５】
管理カム８の輪郭の曲率半径の変化は、回転中心Ｏのまわりのレバー２４の回転を制御する（図５及び７を参照）。この回転の影響の下で、レバー２４の端において遊び運動をするようにマウントされている惑星車３２は、自身のまわりで自転し、回転中心Ｏのまわりを公転する。この運動の間に、惑星車３２は、固定し続ける太陽車３４の歯列上を転がる。この太陽車３４は、日付インジケーター車１８と同心的に、レバー２４の回転中心Ｏのまわりを回転することができるようにマウントされている。管理カム８の輪郭の曲率半径の変化が２月の終わりで発生し、それに応じてレバー２４が回転すると、このレバー２４は３月の終わりまで再び動かないままであり、本発明に係る表示デバイス１は、前置ポジショニングされて、インジケーターメンバー２が３月の２０日から２１日にかけての夜の間に双魚宮の黄道十二宮の期間から白羊宮の黄道十二宮の期間へと変わることが可能になる。
【００２６】
２月の終わりから３月の最初の日へと移行をする際に管理カム８の輪郭の曲率半径が変わると、レバー２４は新しい位置になる。この新しい位置は、インジケーターメンバー２が３月の２０日から２１日にかけての夜の間に深夜の０時直前に双魚宮の黄道十二宮の期間のインジケーションから雄羊宮の黄道十二宮の期間のインジケーションへと変わることを可能にする。より詳細には、２月の終わりを３月２０日から分ける期間に、日付駆動車１４は、１日当たり１回転のレートで回転し、日付インジケーター車１８を１日当たり１ステップ進ませる。月駆動フィンガー２０は、日付インジケーター車１８とともに進む。レバー２４の位置は、管理カム８によって制御されて、３月の２０日から２１日へと移行するときに、月駆動フィンガー２０が惑星車３２を回転させるような位置となる（図８を参照）。レバー２４は、その戻しばね３０によって保持されるので、ハンマー２６に支えられ、回転することができず、これによって、惑星車３２が太陽車３４を回転させる。順に、太陽車３４は、黄道十二宮の１２の宮のインジケーションを示している黄道十二宮インジケーター車３６を１ステップ進ませ、この黄道十二宮インジケーター車３６の位置は、ジャンパー３８によってインデキシングされる。したがって、黄道十二宮のインジケーションは、双魚宮から雄羊宮に変更される。
【００２７】
本発明が上記の実施形態に限定されず、本発明の範囲を逸脱せずに当業者が様々な単純な代替構成や改変を考えることができることは明白である。具体的には、黄道十二宮の１２の期間の表示に関連して本発明について説明してきたが、本発明は、このような実施形態に限定されず、年ごとのサイクルを形成する他の周期的事象の表示に適用することができる。特に、中国式の宮図を表示することができる。また、毎月の３１日において、月駆動フィンガーは、月インジケーター車を駆動し、月に一度の黄道十二宮の期間の変化の日に、月駆動フィンガーは、惑星車を駆動し、この惑星車自体は、太陽車を介して黄道十二宮インジケーター車を駆動することに留意すべきである。また、３１日未満の月の終わりにおいて、日付機構を日付「１」に進めて、本発明に係る表示デバイスがカレンダーに対して適切にインデキシングされ続けなければならないことを理解することができるであろう。
【符号の説明】
【００２８】
１  年ごとのサイクルを形成する一連の周期的事象を表示する表示デバイス
２  周期的事象インジケーターメンバー
４  周期的事象が表示される持続時間を管理するための管理機構
６  駆動メンバー
８  周期的事象が表示される持続時間を管理するための管理カム
１０  管理カムを駆動するための駆動手段
１２  日付機構
１４  日付駆動車
１６  日付駆動フィンガー
１８  日付インジケーター車
２０  月駆動フィンガー
２２  月インジケーター車
２４  レバー
２６  ハンマー
２８  フィーラースピンドル
３０  戻しばね
３２  惑星車
３４  太陽車
３６  黄道十二宮インジケーター車
３８  ジャンパー
【図１】
2020101536.tif 000003
【図２】
2020101536.tif 000004
【図３】
2020101536.tif 000005
【図４】
2020101536.tif 000006
【図５】
2020101536.tif 000007
【図６】
2020101536.tif 000008
【図７】
2020101536.tif 000009
【図８】
2020101536.tif 000010
【外国語明細書】
2020101536000001.pdf